(57)【要約】      （修正有）【課題】アルミニウム・亜鉛合金などのダイカストメーカーにおいてダイカスト金型、および押出しピンなど付帯部品に溶着した合金類を溶解、除去するために用いられる洗浄剤の提供。【解決手段】苛性ソーダ、苛性カリのいずれか、あるいはいずれもを総量で0.1％以上含有する水溶液剤に、植物性増粘材、動物性増粘材、膨潤性鉱物、吸水性ポリマーの少なくとも1種を0.1％以上添加する。【効果】粘性が付与されることから被処理物への付着性、付着量が増加して溶着物の溶解・洗浄能の増進をもたらし、塗付処理後にウエス拭き取りのみで再使用できる。【選択図】なし【特許請求の範囲】
【請求項１】
苛性ソーダ、苛性カリのいずれかあるいはいずれもを総量で0.1重量％以上含有する水溶液剤に、植物性増粘材、動物性増粘材、膨潤性鉱物、吸水性ポリマーの少なくとも１種を0.1重量％以上添加してなるダイカスト金型および付帯部品用洗浄剤。
【請求項２】
前記植物性増粘材としてセルロース、リグニン、糖類等、動物性増粘材としてコラーゲン等、膨潤性鉱物としてベントナイト、スメクタイト等、吸水性ポリマーとしてポリアクリル酸、ポリアクリル酸ナトリウム、ポリアクリルアミド等を添加してなる請求項１記載のダイカスト金型および付帯部品用洗浄剤。
【発明の詳細な説明】
【技術分野】
【０００１】
本発明は、アルミニウム・亜鉛合金などのダイカストメーカーにおいてダイカスト金型、および押出しピンなど付帯部品に溶着した合金類を溶解、除去するために用いられているアルカリ系洗浄剤の改良に関し、さらには在来品が浸漬もしくはスプレー処理後、水洗、乾燥の工程を要したのに比し、塗付処理後ウエス拭取りのみとする洗浄処理の簡便化に好適な洗浄剤の提供に関する。
【背景技術】
【０００２】
アルミニウム・亜鉛合金などのダイカスト鋳造においては、鋳造ショット数を重ねるにつれて金型および付帯部品に溶融合金の溶着が発生することがあり、円滑な操業継続の障害となるため早期に除去して清浄化することが重要なメンテナンス作業となっている。
【０００３】
かかる溶着物の除去は、やすり等の使用による金型および付帯部品の損傷を避けるため、軽度のうちに薬剤によって溶解、洗浄するのが好ましく、このため苛性ソーダ、苛性カリのいずれかあるいはいずれもを含有するアルカリ系製剤がダイカスト金型用洗浄剤として広く市販されており、あるいはまた同様組成のものを自家調合したりしてそれぞれ使用されてきている。
【０００４】
さらにこれら在来の洗浄剤についての洗浄方法は、浸漬もしくはスプレーによるものであった。
【発明の開示】
【発明が解決しようとする課題】
【０００５】
在来の洗浄剤による浸漬洗浄においては、浴槽の容積により収容可能な金型の大きさに制限があること、入れ子式金型の場合分解に手間の要すること、浴槽を満たす洗浄剤の量の確保、老廃液の更新に伴う廃液処理等に、次いでスプレー洗浄においては液垂れによる洗浄効果の低減と液垂れ回収液の廃液処理、飛散ロスと作業環境の悪化等につき、それぞれ難があった。
【０００６】
さらに浸漬洗浄、スプレー洗浄ともに後処理として水洗とそれに伴う廃液処理についての環境対策および乾燥工程を要することから作業、設備の両面でコスト増の因となっている。
【０００７】
本発明は、上記の難点を解決すべき課題とするものである。
【課題を解決するための手段】
【０００８】
本発明は上記の課題を解決するための新規なダイカスト金型および付帯部品用洗浄剤を提供するものであって次ぎの構成を有する。
【０００９】
すなわち、苛性ソーダ、苛性カリのいずれかあるいはいずれもを総量で0.1重量％以上含有する水溶液剤に植物性増粘材、動物性増粘材、膨潤性鉱物、吸水性ポリマーの少なくとも１種を0.1重量％以上添加してなるダイカスト金型および付帯部品用洗浄剤である。
【００１０】
さらに本発明における添加材につき、植物性増粘材としてセルロース、リグニン、糖類等、動物性増粘材としてコラーゲン等、吸水性ポリマーとしてポリアクリル酸、ポリアクリル酸ナトリウム、ポリアクリルアミド等を添加してなるダイカスト金型および付帯部品用洗浄剤である。
【発明の効果】
【００１１】
本発明のダイカスト金型および付帯部品用洗浄剤は、在来の洗浄剤に比し植物性増粘材、動物性増粘材、膨潤性鉱物、吸水性ポリマー等の添加により粘性が付与されることから、被処理物への付着性、付着量が増加して溶着物の溶解・洗浄能の増進をもたらし、塗付処理後ウエス拭取りのみで再使用に供することを可能にしたものである。
【００１２】
このことは在来の洗浄剤による浸漬もしくはスプレー洗浄、水洗、乾燥処理に比して著しい工程短縮となり、浴槽が不要であること、洗浄剤の消費量が少ないこと、金型の分解を要しないこと、液垂れや飛散ロスがないこと、および乾燥の設備が不要であること、浴槽内老廃液の更新あるいは液垂れの回収が不要となるので水洗廃水を含め全工程を通じて廃液が派生せず、したがってその処理対策を要しないこと等、作業、設備、環境、コストの面にきわめて大きな改善効果をもたらすものである。
【発明を実施するための最良の形態】
【００１３】
本発明において、苛性ソーダ、苛性カリのいずれかあるいはいずれもを総量で0.1重量％以上含有する水溶液剤については、ダイカスト金型用洗浄剤として市販されているもの、あるいは自家調合したもののいずれをも使用できるものとするが、洗浄効果からみて液剤のｐＨは１２を下限とするのが望ましい。
【００１４】
また、本発明において苛性ソーダ、苛性カリのいずれかあるいはいずれもの総量を0.1重量％以上としたのは、洗浄剤としての実用的下限を示したものであり、上限はとくに設定しないものの実用性、経済性から６０重量％を超えない範囲で適量を選択するのが好ましい。
【００１５】
さらに上記苛性ソーダ、苛性カリのいずれかあるいはいずれもを含有する水溶液剤については、助剤としてカルボン酸等を含んでもよいものとする。
【００１６】
次いで本発明を特徴づける添加材については、植物性増粘材としてセルロース、リグニン、糖類等、動物性増粘材としてコラーゲン等、膨潤性鉱物としてベントナイト、スメクタイト等、吸水性ポリマーとしてポリアクリル酸、ポリアクリル酸ナトリウム、ポリアクリルアミド等であるとするが各部類に相当するものであればこれらに限定されるものではない。
【００１７】
また、その添加量は粘性の付与効果からみて0.1重量％以上が好ましく、上限はとくに設定しないが実用性、経済性から２０重量％を超えるのは好ましくないとする。
【実施例】
【００１８】
苛性ソーダ２重量％、苛性カリ２重量％、カルボン酸１重量％および残部を水とするｐＨ１３の水溶液剤にセルロースを0.15重量％添加して洗浄剤とし、これをJIS ADC12 のダイカストに使用してアルミニウム合金が溶着した、金型の押出しピン（JIS SKD 61材）について溶着物の除去、洗浄用に供した。
【００１９】
洗浄処理として、押出しピンの溶着物付着部位に本洗浄剤をワイヤーブラシにより塗付して静置したが、その間液垂れを生じることなく塗付性は良好であった。
【００２０】
２０分経過後、再びワイヤーブラシで擦りながら本洗浄剤の塗付を３回繰返すことにより、部分的に残存していた未溶解部が剥離して正常な状態に復したので、洗浄剤の付着部位をウエスで拭取った後水洗、乾燥することなくそのまま再使用に供した。
【産業上の利用可能性】
【００２１】
以上詳細に説明したように本発明は容易に実施され、しかも相当の効果をもたらすためアルミニウム・亜鉛合金ダイカスト工業において利用の可能性はきわめて大きい。
【００２２】
さらに、本発明はダイカストと同じく金型鋳造に部類する重力鋳造、低圧鋳造の分野においても同様に利用され得るものである。